(57)【要約】【課題】養生枠の組立を簡単に行なえ、使用中に養生枠が倒れるようなことがなく、ステップを昇降中の作業者の安全を確保し得るマンホール落下養生枠を提供する。【解決手段】前後一対の敷桁材１，２、前後一対の縦材３，４、及び両縦材３，４をつなぐ横材５，６からなる左右一対のサイドフレーム７，８を、直立姿勢と、縦材３，４どうしが重なりあって敷桁材１，２上に折り畳まれる折畳姿勢とに姿勢変更可能に取り付け、両サイドフレーム７，８の左右に対向する前部縦材３，３間及び後部縦材４，４間には夫々、伸縮つなぎ材９を架け渡して、その一端部を対向する一方の縦材３又は４に枢着し、他端部を他方の縦材３又は４に取り外し可能に取り付け、両サイドフレーム７，８の上端部間に大引材１０を取り外し可能に横架し、大引材１０に取付部材１１を大引材長手方向スライド可能に取り付け、取付部材１１に安全ブロックＳＢを取り付ける。【選択図】図１
2008231875.tif 000002
【特許請求の範囲】
【請求項１】
前後一対の敷桁材の左右両端部に、夫々前後一対の縦材と両縦材をつなぐ横材とからなる左右一対のサイドフレームを、直立姿勢と、縦材どうしが重なりあって敷桁材上に折り畳まれる折畳姿勢とに姿勢変更可能に取り付け、両サイドフレームの夫々左右に対向する前部縦材間及び後部縦材間には夫々、伸縮つなぎ材を架け渡して、その一端部を対向する一方の縦材に枢着し、他端部を他方の縦材に取り外し可能に取り付け、両サイドフレームの上端部間には大引材を取り外し可能に横架し、この大引材に取付部材を大引材長手方向スライド可能に取り付け、この取付部材に作業用ロープを取り付けるようにしたマンホール落下養生枠。
【請求項２】
前記取付部材には、ワイヤロープを繰り出し・巻取り自在に巻装した安全ブロックを取り付けるようにした請求項１に記載のマンホール落下養生枠。
【請求項３】
伸縮つなぎ材は、固定管と、固定管に伸縮可能に連結され、所要の伸縮位置でロック可能な伸縮管とからなるもので、固定管の基端部を一方の縦材に枢着し、伸縮管の先端部をノブボルトによって他方の縦材に取り付けるようにした請求項１又は２に記載のマンホール落下養生枠。
【請求項４】
伸縮つなぎ材は、固定管の基端部を一方の縦材に枢着し、伸縮管の先端部をノブボルトによって他方の縦材に螺着するようにすると共に、伸縮管を固定管に対し収縮させた状態でその先端部をノブボルトにより前記一方の縦材に螺着して収納するようにした請求項３に記載のマンホール落下養生枠。
【発明の詳細な説明】
【技術分野】
【０００１】
本発明は、マンホール落下養生枠に関するもので、建設現場等のマンホール内での作業において作業者がマンホール内のステップを昇降する際の転落を防止したり、また第三者がマンホールに落下するのを防止するためのマンホール落下養生枠に関する。
【背景技術】
【０００２】
従来のマンホール落下養生枠として特許公報等の具体的な公知文献を挙げることはできないが、従来使用されているマンホール落下養生枠Ｂは、図１３に示すように、マンホールＭＨの開口部Ｏを挟んでその両側に配置される一対の鋼管製枠体３１，３１と、両枠体３１，３１の端部どうしをつなぐ鋼管製の連結管３２，３２とからなり、各枠体３１は、夫々鋼管製の複数の縦材３１ａ、横材３１ｂ，中桟３１ｃによって一体的に枠組みしたもので、両枠体３１，３１の端部間に連結管３２，３２を架け渡し、パイプクランプ３３で固定するようになっている。
【０００３】
しかして、マンホールの作業にあたっては、作業用安全ロープ３７をマンホールＭＨ内に垂らし、その上端部を図１３に示すように連結管３２に又は枠体３１側に結び付けておいて、この安全ロープ３７を伝って作業者がマンホールＭＨ内のステップを昇り降りするようにしている。
【発明の開示】
【発明が解決しようとする課題】
【０００４】
上記従来のマンホール落下養生枠Ｂでは、その組立に手間がかかる上に、養生枠Ｂへの安全ロープ３７の取付個所が、図１３から分かるように、養生枠Ｂの中心位置ではなく、その中心位置から周辺側へ偏った位置となるため、作業者がロープ３７を握って昇降している時に養生枠Ｂのロープ取付位置にかかる張力により養生枠Ｂが倒れて、作業者が転落するといった危険性があった。
【０００５】
本発明は、上記のような課題に鑑み、養生枠の組立を簡単に行なえると共に、使用中に養生枠が倒れるようなことがなく、ステップを昇降中の作業者の安全を確保し得るマンホール落下養生枠を提供することを目的とする。
【課題を解決するための手段】
【０００６】
上記課題を解決するための手段を、後述する実施形態の参照符号を付して説明すると、請求項１に係る発明によれば、前後一対の敷桁材１，２の左右両端部に、夫々前後一対の縦材３，４と両縦材３，４をつなぐ横材５，６とからなる左右一対のサイドフレーム７，８を、直立姿勢と、縦材３，４どうしが重なりあって敷桁材１，２上に折り畳まれる折畳姿勢とに姿勢変更可能に取り付け、両サイドフレーム７，８の夫々左右に対向する前部縦材３，３間及び後部縦材４，４間には夫々、伸縮つなぎ材９を架け渡して、その一端部を対向する一方の縦材３又は４に枢着し、他端部を他方の縦材３又は４に取り外し可能に取り付け、両サイドフレーム７，８の上端部間には大引材１０を取り外し可能に横架し、この大引材１０に取付部材１１を大引材長手方向スライド可能に取り付け、この取付部材１１に作業用ロープ３７を取り付けるようにしたことを特徴とする。
【０００７】
請求項２は、請求項１に記載のマンホール落下養生枠において、前記取付部材１１には、ワイヤロープ３７を繰り出し・巻取り自在に巻装した安全ブロックＳＢを取り付けるようにしたことを特徴とする。
【０００８】
請求項３は、請求項１又は２に記載のマンホール落下養生枠において、伸縮つなぎ材９は、固定管９ａと、固定管９ａに伸縮可能に連結され、所要の伸縮位置でロック可能な伸縮管９ｂとからなるもので、固定管９ａの基端部を一方の縦材３又は４に枢着し、伸縮管９ｂの先端部をノブボルト２４によって他方の縦材３又は４に取り付けるようにしたことを特徴とする。
【０００９】
請求項４は、請求項３に記載のマンホール落下養生枠において、伸縮つなぎ材９は、固定管９ａの基端部を一方の縦材３又は４に枢着し、伸縮管９ｂの先端部をノブボルト２４によって他方の縦材３又は４に螺着するようにすると共に、伸縮管９ｂを固定管９ａに対し収縮させた状態でその先端部をノブボルト２４により前記一方の縦材３又は４に螺着して収納するようにしたことを特徴とする。
【発明の効果】
【００１０】
上記解決手段による発明の効果を、後述する実施形態の参照符号を付して説明すると、請求項１に係る発明によれば、左右一対のサイドフレーム７，８を、直立姿勢と折畳姿勢とに姿勢変更可能に取り付け、両サイドフレーム７，８の夫々左右に対向する前部縦材３，３間及び後部縦材４，４間には夫々、伸縮つなぎ材９を架け渡して、その一端部を対向する一方の縦材３又は４に枢着し、他端部を他方の縦材３又は４に取り外し可能に取り付け、両サイドフレーム７，８の上端部間には大引材１０を取り外し可能に横架したから、養生枠の組立及び折り畳み収納を簡単に行なうことができる。
【００１１】
また、大引材１０にスライド可能に取り付けた取付部材１１に作業用ロープ３７を取り付けるようにしたから、大引材１０の任意の位置から作業用ロープ３７を垂下でき、また取付部材１１を大引材１０の中央部側寄りにセットしておけば、作業中に養生枠が倒れるようなことがなく、ステップを昇降中の作業者の安全を確保できる。
【００１２】
請求項２に係る発明のように、取付部材１１に、ワイヤロープ３７を繰り出し・巻取り自在に巻装した安全ブロックＳＢを取り付けた場合には、作業者がマンホールＭＨのステップを昇降する時に、もし足を滑らせるなどして墜落しそうになっても、安全ブロックＳＢのワイヤロープ３７が急激に引っ張られると、ブレーキがかかって、最小長さ内で落下が止められ、不測の事故を未然に防止できる。
【００１３】
請求項３に係る発明によれば、伸縮つなぎ材９は、固定管９ａと、固定管９ａに伸縮可能に連結され、所要の伸縮位置でロック可能な伸縮管９ｂとからなるもので、固定管９ａの基端部を一方の縦材３又は４に枢着し、伸縮管９ｂの先端部をノブボルト２４によって他方の縦材３又は４に取り付けるようにしたから、ノブボルト２４を緩めることにより、縦材３又は４に対する伸縮管９ｂ先端部の着脱を簡単容易に行なうことができる。
【００１４】
請求項４に係る発明によれば、伸縮つなぎ材９は、固定管９ａの基端部を一方の縦材３又は４に枢着し、伸縮管９ｂの先端部をノブボルト２４によって他方の縦材３又は４に螺着するようにすると共に、伸縮管９ｂを固定管９ａに対し収縮させた状態でその先端部をノブボルト２４により一方の縦材３又は４に螺着して収納するようにしたから、折り畳み収納時には、各伸縮つなぎ材９をサイドフレーム７，８の縦材３，４に沿わせた状態に固定できるから、サイドフレーム７，８の折り畳み作業がし易くなると共に、折り畳んだ状態にある時、各伸縮つなぎ材９がガタつくようなことがなく、搬送が一層容易となる。
【発明を実施するための最良の形態】
【００１５】
以下に本発明の好適な一実施形態を図面に基づいて説明すると、図１の(a) は本発明に係るマンホール落下養生枠の全体を示す斜視図、(b) は安全ブロックを示す斜視図、図２の(a) は同マンホール落下養生枠の正面図、(b) は平面図であり、図３の(a) は右側面図、(b) は背面図であり、また図４の(a) は同マンホール落下養生枠を折り畳んだ状態での平面図、(b) は正面図である。
【００１６】
これらの図においてＡで示す本発明のマンホール落下養生枠は、図１の(a) から分かるように、前後一対の敷桁材１，２の左右両端部に、夫々前後一対の縦材３，４と両縦材３，４をつなぐ上下横材５，６と中縦材１２と斜材１３，１３とからなる左右一対のサイドフレーム７，８を、水平面に対して垂直な直立姿勢と、縦材３，３、４，４どうしが重なりあって敷桁材１，２上に折り畳まれる折畳姿勢とに姿勢変更可能に取り付け、両サイドフレーム７，８の夫々左右に対向する前部縦材３，３間及び後部縦材４，４間には夫々、伸縮つなぎ材９を架け渡して、その一端部を対向する一方の縦材３，４に枢着し、他端部を他方の３，４に取り外し可能に取り付け、両サイドフレーム７，８の上端部間には大引材１０を取り外し可能に横架し、この大引材１０に取付部材１１を大引材１０長手方向スライド可能に取り付けてなるものである。
【００１７】
上記マンホール落下養生枠Ａの構造について更に図５〜図８を参照しながら詳しく説明すると、先ず、図５の(a) は図２の(a) の一部拡大図で、前部敷桁材１と、この前部敷桁材１に折り畳み可能に取り付けられた前縦材３の下端側部分を示しており、(b) は(a) の左側面図、(b) は(a) の右側面図である。
【００１８】
この図５から分かるように、前部敷桁材１にはその左端部の前後側面に縦材取付用ブラケット１４，１４が固着され、両ブラケット１４，１４間に前部縦材３，３のうち左側の縦材３の下端部が、ブラケット１４の長孔１５とこれに挿通された枢軸１６とによって、図５の(a) に示す直立姿勢と、同図の直立姿勢から右回り９０度回転して敷桁材１上に重なるように折り畳まれる折畳姿勢とに姿勢変更可能に枢着されており、また前部敷桁材１の左端部上面には左側の縦材３を直立姿勢に保持する保持板１７が取り付けられている。この左側縦材３が直立姿勢に保持されている状態では、図５の(a) に示すように枢軸１６が長孔１５の下半部に位置しており、この直立姿勢から縦材３を同図(a) の矢印ａのように上向きに引き上げて、枢軸１６を長孔１５の上半部に移動させた後、縦材３を矢印ｂのように右回りに回転させると、縦材３は敷桁材１上に重なって折畳姿勢に折り畳まれることになる。
【００１９】
また前部敷桁材１の右端部の前後側面には左側縦材３のブラケット１４よりも丈の高い縦材取付用ブラケット１８，１８が固着され、両ブラケット１４，１４間には右側縦材３の下端部が、ブラケット１８の長孔１９とこれに挿通された枢軸２０とによって、図５の(a) に示す直立姿勢と、同図の直立姿勢から左回り９０度回転して、先に敷桁材１上に折り畳まれた左側縦材３の上に重なるように折り畳まれる折畳姿勢とに姿勢変更可能に枢着されており、前部敷桁材１の右端部上面には右側縦材３を直立姿勢に保持する保持板２１が取り付けられている。右側縦材３が直立姿勢に保持されている状態では、図５の(a) に示すように枢軸２０が長孔１９の下半部に位置しており、この直立姿勢から縦材３を同図(a) の矢印ｃのように上向きに引き上げて枢軸２０を長孔１９の上半部に移動させた後、この右側縦材３を矢印ｄのように左回りに回転させると、この縦材３は、先に敷桁材１上に折り畳まれた左側縦材３の上に重なって折畳姿勢に折り畳まれることになる。
【００２０】
図５は前部敷桁材１とこれに折り畳み可能に取り付けられた前縦材３を示したものであるが、後部敷桁材１上に折り畳み可能に取り付けられる後部縦材４については、上述した前部縦材３の取付構造と全く同じであるため、図示及びその説明を省略する。前部敷桁材１及び後部縦材４が上記のように構成されていることによって、左右のサイドフレーム７，８は、直立姿勢と、縦材３，４どうしが重なりあって敷桁材１，２上に折り畳まれる折畳姿勢とに姿勢変更可能となる。
【００２１】
図６の(a) は図２の(a) の一部拡大図で、伸縮つなぎ材９の取付時の状態を示し、(b) は伸縮つなぎ材９の収縮時の状態を示す正面図、(c) は(a) の矢印Ｘで示される部分の拡大図、(d) は(c) のＹ−Ｙ断面図であり、図７の(a) は図６の(a) のさらに拡大正面図、(b) は(a) のＶ−Ｖ線断面図である。これらの図から分かるように、伸縮つなぎ材９は、角管状の固定管９ａと、この固定管９ａに伸縮可能に連結されていて、所要の伸縮位置でロック手段２２によりロック可能とした角管状伸縮管９ｂとからなるもので、固定管９ａの基端部を一方の縦材３又は４に枢軸２３により枢着し、伸縮管９ｂの先端部をノブボルト２４によって他方の縦材３又は４に取り付けるようにしている。
【００２２】
ロック手段２２は、図６の(c) に示すように、伸縮管９ｂの内側から係合孔２５（伸縮管９ｂの係合孔２５ｂと固定管９ａの係合孔２５ａとからなる）又は２６（伸縮管９ｂの係合孔２５ｂと固定管９ａの係合孔２６ａとからなる）を貫通して固定管９ａの外周面より突出する長さのピン部材２７と、このピン部材２７を前記係合孔２５又は２６から突出付勢するように伸縮管９ｂ内に嵌挿した板ばね２８とからなるもので、ピン部材２７の頭部は丸く、例えば半球状に形成されていて、このピン部材２７を板ばね２８の付勢力に抗して押圧し、固定管９ａの外周面から突出した部分を係合孔２５又は２６内に退入させることによりロック解除状態となって、伸縮管９ｂを固定管９ａに対し伸縮移動させることができ、こうして伸縮管９ｂを伸縮移動させつつピン部材２７が前記係合孔２５又は２６の位置に来ると、板ばね２８の付勢力でピン部材２７が係合孔２５又は２６に係合して、伸縮管９ｂを固定管９ａに対しロックするようになっている。
【００２３】
図６の(a) は左右両サイドフレーム７，８の前部縦材３，３又は後部縦材４，４の上端部どうしを水平姿勢でつないでいる時の状態を示し、この時、伸縮つなぎ材９は、ロック手段２２のピン部材２７が伸縮管９ｂ及び固定管９ａの係合孔２５に係合して伸張状態にロックされており、伸縮管９ｂの先端部がノブボルト２４によって片方の縦材３に固定されている。また、同図の(b) はノブボルト２４を緩めて伸縮管９ｂの先端部を当該縦材３から取り外した後に、伸縮管９ｂを固定管９ａ内に収縮させた時の状態を示し、この時、伸縮つなぎ材９は、ロック手段２２のピン部材２７が伸縮管９ｂ及び固定管９ａの係合孔２６に係合して収縮状態（収納状態）にロックされている。
【００２４】
図１及び図２の(a) に示すように、左右両サイドフレーム７，８の前部縦材３，３には前部縦材３，３の上端部間に水平に架け渡された伸縮つなぎ材９の他に、前部縦材３，３の上端部間に斜めに架け渡されたもう一つの伸縮つなぎ材９があるが、この斜め架け渡し伸縮つなぎ材９は、水平架け渡し伸縮つなぎ材９と同じ構成である。
【００２５】
図７の(a) は縦材３，４に対する伸縮つなぎ材９の取付状態を示す拡大正面図、(b) は(a) のＶ−Ｖ線断面図である。この図から分かるように、伸縮つなぎ材９の固定管９ａの基端部がボルト・ナットからなる枢軸２３により一方の縦材３又は４に枢着され、そして伸縮管９ｂの先端部に取り付けられた取付片２９を介してノブボルト２４が、他方の縦材３又は４に設けられたナット３０に着脱可能にねじ込まれるようになっている。従って、ノブボルト２４を緩めることにより、伸縮管９ｂの先端部を簡単容易に縦材３又は４から離脱させることができる。またノブボルト２４には、図７の(b) に示すように圧縮コイルバネ４４が介装されているから、伸縮つなぎ材９の先端部は縦材３又は４に取り付けられた状態でガタツキがなく的確に固定される。
【００２６】
図８の(a) は図２の(a) の矢印Ｗで示す部分の拡大図、(b) は(a) のＱ−Ｑ線断面図であって、大引材１０に取付部材１１を大引材１０の長手方向スライド可能に取り付けた状態を示す。大引材１０は角筒状型材により形成され、取付部材１１は、この角筒状型材よりなる大引材１０にスライド可能に嵌合されたもので、下端部に安全ブロック取付用のリング３５が取り付けてあって、このリング３５に安全ブロックＳＢが取り付けられる。
【００２７】
安全ブロックＳＢは、図１の(b) に示すような周知構造のもので、ケース３６と、このケース３６内に繰り出し・巻取り自在に巻装された作業用ワイヤロープ３７とからなり、ケース３６には前記取付部材１１のリング３５に着脱自在に取り付ける着脱リング３８が設けてあり、ワイヤロープ３７の先端部には作業者が装着する安全帯に係着可能な着脱フック３９が設けてある。この安全ブロックＳＢの特徴は、マンホールＭＨ内での使用時において、作業者が普通の速さでステップ等を移動すると、ワイヤロープ３７が自動的に繰り出されたり、巻き込まれたりするが、作業者がもしも何らかの事故で墜落してワイヤロープ３７を急激に引っ張ると、最小長さ、例えば６０ｃｍ以内で落下を止めるようになっていることである。
【００２８】
また、大引材１０の両端部下面には、図９の(a) に示すように、係合部片４０が下向き直角に夫々突設され、サイドフレーム７，８の中縦材１２には、図９の(b) に示すように大引材１０の係合部片４０が係合する係合凹部４１が設けられると共に、係合部片４０が係合凹部４１に係合した状態で係合部片４０の抜け出しを阻止するロックピン４２が設けられ、このロックピン４２は、中縦材１２に取り付けてあるチェーン４３につながれている。
【００２９】
上記のように構成されるマンホール落下養生枠の使用にあたって、このマンホール落下養生枠を組み立てるには、前後一対の敷桁材１，２と左右一対のサイドフレーム７，８とは予め一体的に組み付けられているから、両サイドフレーム７，８の夫々左右に対向する前部縦材３，３間及び後部縦材４，４間に伸縮つなぎ材９を架け渡し、そして両サイドフレーム７，８の上端部間には大引材１０を横架すればよい。この際、伸縮つなぎ材９は、固定管９ａの基端部が縦材３，４に予め枢着されているから、伸縮管９ｂの先端部のノブボルト２４を、縦材３，４に設けてあるナット３０にねじ込んで締め付ければよく、また大引材１０は、両端部の係合部片４０をサイドフレーム７，８の中縦材１２に設けてある係合凹部４１に係合し、そしてロックピン４２を中縦材１２から係合部片４０に差し込めばよいから、簡単容易に組み立てることができる。
【００３０】
こうしてマンホール落下養生枠を組み立てた後、大引材１０に取り付けてある取付部材１１のリング３５に安全ブロックＳＢの着脱リング３８を取り付けたならば、作業者は、自身が装着している安全帯に安全ブロックＳＢの着脱フック３９を係着し、マンホールＭＨに入って作業を開始する。尚、この作業開始時には、作業者は、安全ブロック取付用の取付部材１１を大引材１０に沿って適宜にスライドさせて、取付部材１１の位置を所望にセットしておけば、マンホールＭＨに入り易くなるし、またステップ伝いに降りて行って作業を行なう時にも、地上にいる他の作業者によって取付部材１１の位置を変えてもらうことにより、安全ブロックＳＢの垂下位置をマンホールＭＨ内での所望位置に設定することができる。
【００３１】
また、作業者がマンホールＭＨのステップを昇降する時に、作業者がもし足を滑らせて墜落しそうになっても、安全ブロックＳＢのワイヤロープ３７が急激に引っ張られると、ブレーキがかかって、最小長さ内で落下が止められ、不測の事故が未然に防止されるようになっている。
【００３２】
マンホールＭＨでの作業が終了して、マンホール落下養生枠を撤退するにあたり、このマンホール落下養生枠を折り畳む方法について図９〜図１１を参照しながら説明すると、先ず、安全ブロックＳＢを取り外した後、図９の(a) に示すように、大引材１０を両サイドフレーム７，８から取り外す。大引材１０の取り外しにあたっては、ロックピン４２をサイドフレーム７，８の中縦材１２から抜いた後、大引材１０を持ち上げればよい。
【００３３】
大引材１０を取り外した後は、図９の(a) に示すように各伸縮つなぎ材９の伸縮管９ｂ先端部のノブボルト２４を緩めて縦材３又は４から離脱させた後、伸縮管９ｂを収縮させ、固定管９ａの基端部を中心に回動して、縦材３又は４に重合させた状態で、伸縮管９ｂ先端部のノブボルト２４を縦材３又は４に設けられているナット３０にねじ込んで締め付け固定し、図１０に示すように左右両サイドフレーム７，８が直立姿勢で対向した状態とする。
【００３４】
しかして、図１０のように直立姿勢で対向する両サイドフレーム７，８の左側のサイドフレーム７を一旦引き上げた状態で右回りに回転させて、敷桁材１，２上に重なるように折り畳み、図１１に示す状態とする。その後、右側のサイドフレーム８を、同じく一旦引き上げた状態で左回りに回転させて、先に敷桁材１，２上に折り畳まれた左側のサイドフレーム７の上に重なるように折り畳み、図１２に示す状態となる。これにより、マンホール落下養生枠は、左右両サイドフレーム７，８が互いに敷桁材１，２上にコンパクトに折り畳まれることになり、移動、搬送及び保管に便利となる。
【００３５】
この場合、各伸縮つなぎ材９は、サイドフレーム７，８を形成する縦材３，４に沿わせた状態に固定しているため、サイドフレーム７，８の折り畳み作業がし易くなると共に、折り畳んだ状態にある時、各伸縮つなぎ材９がガタつくようなことがなく、養生枠の移動・搬送が一層容易となる。
【００３６】
以上の実施形態では、大引材１０にスライド可能に取り付けた取付部材１１に安全ブロックＳＢを取り付けるようにしたが、取付部材１１には作業用安全ロープを取り付けるようにしてもよい。しかしながら、安全ブロックＳＢを取り付ける方が好ましく、不測の事態を回避できて、作業の安全性を十分に確保できる。
【図面の簡単な説明】
【００３７】
【図１】(a) は本発明に係るマンホール落下養生枠の全体を示す斜視図、(b) は安全ブロックを示す斜視図である。
【図２】(a) は同マンホール落下養生枠の正面図、(b) は平面図である。
【図３】(a) は同マンホール落下養生枠の右側面図、(b) は背面図である。
【図４】(a) は同マンホール落下養生枠を折り畳んだ状態での平面図、(b) は正面図である。
【図５】(a) は図２の(a) の一部拡大図、(b) は(a) の左側面図、(b) は(a) の右側面図である。
【図６】(a) は図２の(a) の一部拡大図であって、伸縮つなぎ材の取付時の状態を示し、(b) は伸縮つなぎ材の収縮時の状態を示す正面図、(c) は(a) の矢印Ｘで示される部分の拡大図、(d) は(c) のＹ−Ｙ断面図である。
【図７】(a) は図６の(a) の拡大正面図、(b) は(a) のＶ−Ｖ線断面図である。
【図８】(a) は図２の(a) の矢印Ｗで示す部分の拡大図、(b) は(a) のＱ−Ｑ線断面図である。
【図９】(a) はマンホール落下養生枠の折り畳みにあたって、大引材を取り外した状態を示す正面図、(b) は(a) のＲ−Ｒ線断面図である。
【図１０】伸縮つなぎ材を折り畳んで、左右両サイドフレームが直立姿勢で対向した状態を示す正面図である。
【図１１】両サイドフレームの内左側のサイドフレームを折り畳んだ状態を示す正面図である。
【図１２】両サイドフレームを折り畳んだ状態を示す正面図である。
【図１３】従来のマンホール落下養生枠の使用状態を示す斜視図である。
【符号の説明】
【００３８】
１，２        敷桁材
３，４        サイドフレームの縦材
５，６        サイドフレームの横材
７，８        サイドフレーム
９            伸縮つなぎ材
１０          大引材
１１          取付部材
ＳＢ          安全ブロック
３７          ワイヤロープ
【図１】
2008231875.tif 000003
【図２】
2008231875.tif 000004
【図３】
2008231875.tif 000005
【図４】
2008231875.tif 000006
【図５】
2008231875.tif 000007
【図６】
2008231875.tif 000008
【図７】
2008231875.tif 000009
【図８】
2008231875.tif 000010
【図９】
2008231875.tif 000011
【図１０】
2008231875.tif 000012
【図１１】
2008231875.tif 000013
【図１２】
2008231875.tif 000014
【図１３】
2008231875.tif 000015